(57)【要約】【課題】第１基板列と、第２基板列とに対し、個別に温水配管を引き回して各基板の溝に温水配管を配置した後、第１基板列と第２基板列とを並列させて最終組み立てを行う。【解決手段】基板Ａ，Ｂ，Ｃを突き合わせ、温水配管３，４を各基板の溝２に配置し、温水配管３，４の両端を基板Ａの溝２から延出させておく。基板Ｄ，Ｅ，Ｆを突き合わせ、温水配管８，９を各基板の溝２に配置し、温水配管８の両端を副配管接続口３７，４０に接続し、温水配管９の両端を副配管接続口３８，３９に接続する。基板Ａ〜Ｃの列と基板Ｄ〜Ｆの列とを並置し、基板Ａから延出した温水配管３，４の延出部分を基板Ｄの溝２に配置し、温水配管３の両端を副配管接続口３３，３６に接続し、温水配管４の両端を副配管接続口３４，３５に接続する。【選択図】図４
2020076513.tif 000002
【特許請求の範囲】
【請求項１】
主配管からの流体を複数本の副配管に分配するためのヘッダであって、
第１長側辺、第２長側辺、第１短辺及び第２短辺を有した方形のボディー部と、
往側主配管及び戻側主配管が接続されるように該ボディー部の第１短辺からそれぞれ突設された往側主配管接続口及び主配管接続口と、
第１〜第４の副配管が接続されるように該ボディー部の該第１長側辺から突設された第１〜第４の副配管接続口と、
第５〜第８の副配管が接続されるように該ボディー部の第２長側辺から突設された第５〜第８の副配管接続口とを有し、
該第１〜第４の副配管接続口及び第５〜第８の副配管接続口は、それぞれ、前記第１短辺から第２短辺に向ってこの順に設けられているヘッダにおいて、
前記往側主配管接続口と前記第１副配管接続口及び第６副配管接続口とを連通する往側連通流路と、
前記戻側主配管接続口と前記第２副配管接続口及び第５副配管接続口とを連通する戻側連通流路と、
前記第３副配管接続口と第７副配管接続口とを連通する第１中継流路と、
前記第４副配管接続口と第８副配管接続口とを連通する第２中継流路と
を有することを特徴とするヘッダ。
【請求項２】
主配管からの流体を複数本の副配管に分配するためのヘッダであって、
第１長側辺、第２長側辺、第１短辺及び第２短辺を有した方形のボディー部と、
往側主配管及び戻側主配管が接続されるように該ボディー部の第１短辺からそれぞれ突設された往側主配管接続口及び主配管接続口と、
第１〜第４の副配管が接続されるように該ボディー部の該第１長側辺から突設された第１〜第４の副配管接続口と、
第５〜第８の副配管が接続されるように該ボディー部の第２長側辺から突設された第５〜第８の副配管接続口とを有し、
該第１〜第４の副配管接続口及び第５〜第８の副配管接続口は、それぞれ、前記第１短辺から第２短辺に向ってこの順に設けられているヘッダにおいて、
前記往側主配管接続口と前記第１副配管接続口及び第２副配管接続口とを連通する往側連通流路と、
前記戻側主配管接続口と前記第５副配管接続口及び第６副配管接続口とを連通する戻側連通流路と、
前記第３副配管接続口と第７副配管接続口とを連通する第１中継流路と、
前記第４副配管接続口と第８副配管接続口とを連通する第２中継流路と
を有することを特徴とするヘッダ。
【請求項３】
板面に配管配設用の溝が設けられた略方形の基板を複数枚配列してなる第１基板列と、
板面に配管配設用の溝が設けられた略方形の基板を複数枚配列してなる第２基板列と、
該第２基板列の配列方向一端側の一端側基板に設けられたヘッダ配置用スペースと、
該ヘッダ配置用スペース内に配置された請求項１又は２に記載のヘッダと、
一端が該ヘッダの前記第１副配管接続口に接続され、他端が前記第４副配管接続口に接続され、該一端側基板の該溝を通って前記第１基板列の各基板の該溝内に配置された第１温水配管と、
一端が該ヘッダの前記第２副配管接続口に接続され、他端が前記第３副配管接続口に接続され、該一端側基板の該溝を通って前記第１基板列の各基板の該溝内に配置された第２温水配管と、
一端が該ヘッダの前記第５副配管接続口に接続され、他端が前記第８副配管接続口に接続され、第２の基板列の各基板の該溝に配置された第３温水配管と、
一端が該ヘッダの前記第６副配管接続口に接続され、他端が前記第７副配管接続口に接続され、第２の基板列の各基板の該溝に配置された第４温水配管と
を備えた温水マット。
【請求項４】
請求項３に記載の温水マットを製作する方法であって、
前記第１基板列の溝に前記第１温水配管及び第２温水配管を配置し、この際、該第１温水配管及び第２温水配管の両端部をそれぞれ該第１基板列の配列方向一端側の基板から延出させる第１基板列への温水配管配置工程と、
前記第２基板の溝に前記第３温水配管及び第４温水配管を配置する第２基板列への温水配管配置工程と、
前記第１温水配管及び第２温水配管が配置された前記第１基板列と、第３温水配管及び第４温水配管が配置された前記第２基板列とを並置させる並置工程と、
前記第３温水配管の両端を前記第５及び第８副配管接続口に接続し、前記第４温水配管の両端を前記第６及び第７副配管接続口に接続する第３・第４温水配管接続工程と、
前記第１温水配管及び第２温水配管の前記第１基板から延出した部分を前記第２基板の溝に配置し、該第１温水配管の両端を前記第１及び第４副配管接続口に接続し、第２温水配管の両端を前記第２及び第３副配管接続口に接続する第１・第２温水配管接続工程と
を有する温水マットの製作方法。
【請求項５】
主配管からの流体を複数本の副配管に分配するためのヘッダであって、
第１長側辺、第２長側辺、第１短辺及び第２短辺を有した方形のボディー部と、
往側主配管及び戻側主配管が接続されるように該ボディー部の第１短辺からそれぞれ突設された往側主配管接続口及び主配管接続口と、
第１〜第６の副配管が接続されるように該ボディー部の該第１長側辺から突設された第１〜第６の副配管接続口と、
第７〜第１２の副配管が接続されるように該ボディー部の第２長側辺から突設された第７〜第１２の副配管接続口とを有し、
該第１〜第６の副配管接続口及び第７〜第１２の副配管接続口は、それぞれ、前記第１短辺から第２短辺に向ってこの順に設けられているヘッダにおいて、
前記往側主配管接続口と前記第１副配管接続口、第３副配管接続口及び第８副配管接続口とを連通する往側連通流路と、
前記戻側主配管接続口と前記第２副配管接続口、第７副配管接続口及び第９副配管接続口とを連通する戻側連通流路と、
前記第４副配管接続口と第１０副配管接続口とを連通する第１中継流路と、
前記第５副配管接続口と第１１副配管接続口とを連通する第２中継流路と、
前記第６副配管接続口と第１２副配管接続口とを連通する第３中継流路と
を有することを特徴とするヘッダ。
【請求項６】
主配管からの流体を複数本の副配管に分配するためのヘッダであって、
第１長側辺、第２長側辺、第１短辺及び第２短辺を有した方形のボディー部と、
往側主配管及び戻側主配管が接続されるように該ボディー部の第１短辺からそれぞれ突設された往側主配管接続口及び主配管接続口と、
第１〜第６の副配管が接続されるように該ボディー部の該第１長側辺から突設された第１〜第６の副配管接続口と、
第７〜第１２の副配管が接続されるように該ボディー部の第２長側辺から突設された第７〜第１２の副配管接続口とを有し、
該第１〜第６の副配管接続口及び第７〜第１２の副配管接続口は、それぞれ、前記第１短辺から第２短辺に向ってこの順に設けられているヘッダにおいて、
前記往側主配管接続口と前記第１副配管接続口、第２副配管接続口及び第３副配管接続口とを連通する往側連通流路と、
前記戻側主配管接続口と前記第７副配管接続口、第８副配管接続口及び第９副配管接続口とを連通する戻側連通流路と、
前記第４副配管接続口と第１０副配管接続口とを連通する第１中継流路と、
前記第５副配管接続口と第１１副配管接続口とを連通する第２中継流路と、
前記第６副配管接続口と第１２副配管接続口とを連通する第３中継流路と
を有することを特徴とするヘッダ。
【請求項７】
板面に配管配設用の溝が設けられた略方形の基板を複数枚配列してなる第１基板列と、
板面に配管配設用の溝が設けられた略方形の基板を複数枚配列してなる第２基板列と、
該第２基板列の配列方向一端側の一端側基板に設けられたヘッダ配置用スペースと、
該ヘッダ配置用スペース内に配置された請求項５又は６に記載のヘッダと、
一端が該ヘッダの前記第１副配管接続口に接続され、他端が前記第６副配管接続口に接続され、該一端側基板の該溝を通って前記第１基板列の各基板の該溝内に配置された第１温水配管と、
一端が該ヘッダの前記第２副配管接続口に接続され、他端が前記第５副配管接続口に接続され、該一端側基板の該溝を通って前記第１基板列の各基板の該溝内に配置された第２温水配管と、
一端が該ヘッダの前記第３副配管接続口に接続され、他端が前記第４副配管接続口に接続され、該一端側基板の該溝を通って前記第１基板列の各基板の該溝内に配置された第３温水配管と、
一端が該ヘッダの前記第７副配管接続口に接続され、他端が前記第１２副配管接続口に接続され、第２の基板列の各基板の該溝に配置された第４温水配管と、
一端が該ヘッダの前記第８副配管接続口に接続され、他端が前記第１１副配管接続口に接続され、第２の基板列の各基板の該溝に配置された第５温水配管と、
一端が該ヘッダの前記第９副配管接続口に接続され、他端が前記第１０副配管接続口に接続され、第２の基板列の各基板の該溝に配置された第６温水配管と
を備えた温水マット。
【請求項８】
請求項７に記載の温水マットを製作する方法であって、
前記第１基板列の溝に前記第１温水配管、第２温水配管及び第３温水配管を配置し、この際、該第１温水配管、第２温水配管及び第３温水配管の両端部をそれぞれ該第１基板列の配列方向一端側の基板から延出させる第１基板列への温水配管配置工程と、
前記第２基板の溝に前記第４温水配管、第５温水配管及び第６温水配管を配置する第２基板列への温水配管配置工程と、
前記第１温水配管〜第３温水配管が配置された前記第１基板列と、第４温水配管〜第６温水配管が配置された前記第２基板列とを並置させる並置工程と、
前記第４温水配管の両端を前記第７及び第１２副配管接続口に接続し、前記第５温水配管の両端を前記第８及び第１１副配管接続口に接続し、前記第６温水配管の両端を前記第９及び第１０副配管接続口に接続する第４・第５・第６温水配管接続工程と、
前記第１温水配管、第２温水配管及び第３温水配管の前記第１基板から延出した部分を前記第２基板の溝に配置し、該第１温水配管の両端を前記第１及び第６副配管接続口に接続し、第２温水配管の両端を前記第２及び第５副配管接続口に接続し、前記第３温水配管の両端を前記第３及び第４副配管接続口に接続する第１・第２・第３温水配管接続工程と
を有する温水マットの製作方法。
【発明の詳細な説明】
【技術分野】
【０００１】
本発明は、共通の主配管からの温水を複数本の副配管に分配するためのヘッダに係り、特に、主配管が接続されるようにボディー部から突設された主配管接続口と、副配管が接続されるように該ボディー部から突設された複数個の副配管接続口と、該ボディー部に設けられた、該主配管接続口と各副配管接続口とを連通する流体流路とを備えたヘッダに関する。
【０００２】
また、本発明は、建物の部屋の床、壁、天井等の暖房を行うための温水マットに係り、特に、板面に配管配設用の溝及びヘッダ配置用スペースが設けられた略方形の基板と、該スペース内に配置されたヘッダと、該ヘッダの各副配管接続口に接続され、該溝内に引き回された温水循環用配管（副配管）とを備えた温水マットに関する。
【背景技術】
【０００３】
基板の上面の溝に温水循環用配管を引き回した温水マットを床に敷設した床暖房構造が周知である。
【０００４】
この温水循環用配管を複数本引き回し、各温水循環用配管を温水が循環するように構成した温水マットが用いられている。
【０００５】
図５は市販されている温水マットの平面図であり、図６はそのヘッダ部分の拡大図、図７は図５のVII−VII線断面図、図８は温水マットの製造方法を説明する平面図である。
【０００６】
なお、以下の説明において、左右方向及び上下方向とは図５における左右方向及び上下方向と合致する。
【０００７】
この温水マット１’は、それぞれ略長方形状の基板Ａ〜Ｆを備えている。
【０００８】
基板Ａ〜Ｃがこの順に左から右へ一列に配列され、基板Ｄ〜Ｆがこの順に左から右へ、且つ該基板Ａ〜Ｃに隣接するように一列に配列されている。
【０００９】
基板Ａ〜Ｃ及びＤ〜Ｆは、それぞれ、互いの長辺同士を突き合わせるように配置されている。また、基板Ａ〜Ｃの列（第１基板列）と基板Ｄ〜Ｆの列（第２基板列）との間では、基板Ａ，Ｄ同士、Ｂ，Ｅ同士、及びＣ，Ｆ同士が、それぞれ、互いの短辺同士を突き合わせるように配置されている。
【００１０】
符号Ｔ１は、基板Ａ，Ｂ間及びＤ，Ｅ間の突き合わせ部を示し、温水マット１はＴ１に沿って山折り可能である。Ｔ２は基板Ｂ，Ｃ間及びＥ，Ｆ間の突き合わせ部を示し、Ｔ３は基板Ａ〜Ｃの列と基板Ｄ〜Ｆの列との間の突き合わせ部を示しており、温水マット１はＴ２、Ｔ３に沿って谷折り可能である。
【００１１】
なお、温水マット１は、Ｔ１に沿って谷折り可能とされ、Ｔ２に沿って山折り可能とされてもよい。Ｔ３は、山折り、谷折りのいずれとされてもよい。
【００１２】
基板Ａ，Ｂ間、Ｂ，Ｃ間、Ｄ，Ｅ間、Ｅ，Ｆ間、及びＡ，Ｄ間において、それぞれ各突き合わせ部Ｔ１〜Ｔ３を跨いで一方の基板から他方の基板に連続して温水配管３，４が引き回されている。
【００１３】
図７の通り、基板Ａ〜Ｆは、それぞれ、帯板状（細長い長方形状）の樹脂ボード１０と、小根太１３とを、各々の長手方向を各基板Ａ〜Ｆの長辺方向として引き揃え、相互に接着することにより構成されている。
【００１４】
各樹脂ボード１０の上面には、それぞれ、主として各樹脂ボード１０の長辺方向に延在する複数条の配管収容用の溝２が延設されている。温水配管３，４は、これらの溝２内に配置されている。
【００１５】
この温水マットでは、各溝２の内面から各樹脂ボード１０の上面まで延在する均熱板６を設けても良い。この均熱板６は、各溝２の内面に沿うＵ字部と、該Ｕ字部の両端（上端）から各樹脂ボード１０の上面に沿って側方に延出する１対のフランジ部とを有した略Ω字形断面形状のものである。
【００１６】
この均熱板６のＵ字部が各溝２内に配置され、その上から、温水配管３，４がこのＵ字部内に嵌め込まれるようにして各溝２に収容されている。
【００１７】
この温水マット１’では、基板Ｄの切欠部１２にヘッダ２０が配置されている。このヘッダ２０は、主配管接続口２１，２２と、副配管接続口２３，２４及び２５，２６とを備えている。主配管接続口２１，２２がボイラ等の給湯器に主配管を介して接続される。
【００１８】
往側主配管接続口２１は、往側の副配管接続口２３，２６に連通している。戻側の副配管接続口２４，２５は、戻側主配管接続口２２に連通している。
【００１９】
温水配管３は、その基端がヘッダ２０の左側面の副配管接続口２３に接続され、基板Ｄ，Ａ，Ｂ，Ｃを引き回された後、Ｕターンして基板Ｂ，Ａ，Ｄを通り、図６の通り、ヘッダ２０の近傍を通り抜ける。次いで、基板Ｅ，Ｆを引き回された後、Ｕターンして基板Ｅから基板Ｄに戻り、副配管接続口２５に接続されている。副配管接続口２３からの温水は、上記の順に流れて副配管接続口２５に戻り、戻側主配管接続口２２から流出する。
【００２０】
温水配管４は、その基端がヘッダ２０の右側面の副配管接続口２６に接続され、基板Ｄ，Ｅ，Ｆを引き回された後、Ｕターンして基板Ｅ，Ｄを通り、図６の通り、ヘッダ２０の近傍を通り抜ける。次いで、基板Ｄ，Ａ，Ｂ，Ｃを引き回された後、Ｕターンして基板Ｂから基板Ｄに戻り、副配管接続口２４に接続されている。副配管接続口２６からの温水は、上記の順に流れて副配管接続口２４に戻り、戻側主配管接続口２２から流出する。
【００２１】
このように、温水配管３を流れる温水は、先に基板Ａ，Ｂ，Ｃに流れ、若干温度が低下した後、基板Ｄ，Ｅ，Ｆを流れる。また、温水配管４を流れる温水は、先に基板Ｄ，Ｅ，Ｆを流れ、若干温度が低下した後、基板Ａ，Ｂ，Ｃを流れる。そのため、基板Ａ，Ｂ，Ｃと基板Ｄ，Ｅ，Ｆとが温水配管３，４によって均等に加温される。
【００２２】
この温水マット１’にあっては、図６の通り、基板Ｄには、ヘッダ２０の近傍を温水配管３，４が通り抜けるように溝２（２ａ，２ｂ）が切欠部１２の近傍に設けられている。
【００２３】
この温水マット１’を組み立てるに際しては、図８の通り、温水配管３，４を溝２に配置する前の状態の、均熱板６付きの基板Ａ〜Ｆを敷き並べる。その後、温水配管３，４を上述の通り各基板Ａ〜Ｆに引き回し、溝２内に配置する。
【００２４】
この温水配管３，４の装着作業を行うには、基板Ａ〜Ｃ側（図８の上側）と基板Ｄ〜Ｆ側（図８の下側）の両サイドにそれぞれ作業者を配置し、温水配管３又は４を各基板Ａ〜Ｆの溝２に押し込む。
【００２５】
なお、この温水マット１’では基板Ａ〜Ｃの長手寸法Ｗ１は９０９ｍｍ、基板Ｄ〜Ｆの長手寸法Ｗ２は１２１２ｍｍであり、Ｗ１＋Ｗ２＝２１２１ｍｍと大きいので、基板Ａ〜Ｃ側、及び基板Ｄ〜Ｆ側の両サイドに作業者を配置することが必要となる。
【００２６】
また、この温水マット１’では、基板Ｄの切欠部１２近傍の溝２（２ａ，２ｂ）に温水配管３，４を引き通す必要があるため、基板Ａ〜Ｃと基板Ｄ〜Ｆとを突き合わせた図８の状態に温水配管３，４の引き回し作業を行うことが必要となる。
【先行技術文献】
【特許文献】
【００２７】
【特許文献１】特開２００９−１０９１３２号公報
【発明の概要】
【発明が解決しようとする課題】
【００２８】
本発明は、基板Ａ〜Ｃ等の第１基板列と、基板Ｄ〜Ｆの列等の第２基板列とに対し、個別に温水配管を引き回して各基板の溝に温水配管を配置した後、第１基板列と第２基板列とを並列させて最終組み立てを行うことができる温水マットと、そのためのヘッダと、この温水マットの製作方法とを提供することを目的とする。
【課題を解決するための手段】
【００２９】
本発明の要旨は次の通りである。
［１］  主配管からの流体を複数本の副配管に分配するためのヘッダであって、
第１長側辺、第２長側辺、第１短辺及び第２短辺を有した方形のボディー部と、
往側主配管及び戻側主配管が接続されるように該ボディー部の第１短辺からそれぞれ突設された往側主配管接続口及び主配管接続口と、
第１〜第４の副配管が接続されるように該ボディー部の該第１長側辺から突設された第１〜第４の副配管接続口と、
第５〜第８の副配管が接続されるように該ボディー部の第２長側辺から突設された第５〜第８の副配管接続口とを有し、
該第１〜第４の副配管接続口及び第５〜第８の副配管接続口は、それぞれ、前記第１短辺から第２短辺に向ってこの順に設けられているヘッダにおいて、
前記往側主配管接続口と前記第１副配管接続口及び第６副配管接続口とを連通する往側連通流路と、
前記戻側主配管接続口と前記第２副配管接続口及び第５副配管接続口とを連通する戻側連通流路と、
前記第３副配管接続口と第７副配管接続口とを連通する第１中継流路と、
前記第４副配管接続口と第８副配管接続口とを連通する第２中継流路と
を有することを特徴とするヘッダ。
【００３０】
［２］  主配管からの流体を複数本の副配管に分配するためのヘッダであって、
第１長側辺、第２長側辺、第１短辺及び第２短辺を有した方形のボディー部と、
往側主配管及び戻側主配管が接続されるように該ボディー部の第１短辺からそれぞれ突設された往側主配管接続口及び主配管接続口と、
第１〜第４の副配管が接続されるように該ボディー部の該第１長側辺から突設された第１〜第４の副配管接続口と、
第５〜第８の副配管が接続されるように該ボディー部の第２長側辺から突設された第５〜第８の副配管接続口とを有し、
該第１〜第４の副配管接続口及び第５〜第８の副配管接続口は、それぞれ、前記第１短辺から第２短辺に向ってこの順に設けられているヘッダにおいて、
前記往側主配管接続口と前記第１副配管接続口及び第２副配管接続口とを連通する往側連通流路と、
前記戻側主配管接続口と前記第５副配管接続口及び第６副配管接続口とを連通する戻側連通流路と、
前記第３副配管接続口と第７副配管接続口とを連通する第１中継流路と、
前記第４副配管接続口と第８副配管接続口とを連通する第２中継流路と
を有することを特徴とするヘッダ。
【００３１】
［３］  板面に配管配設用の溝が設けられた略方形の基板を複数枚配列してなる第１基板列と、
板面に配管配設用の溝が設けられた略方形の基板を複数枚配列してなる第２基板列と、
該第２基板列の配列方向一端側の一端側基板に設けられたヘッダ配置用スペースと、
該ヘッダ配置用スペース内に配置された［１］又は［２］に記載のヘッダと、
一端が該ヘッダの前記第１副配管接続口に接続され、他端が前記第４副配管接続口に接続され、該一端側基板の該溝を通って前記第１基板列の各基板の該溝内に配置された第１温水配管と、
一端が該ヘッダの前記第２副配管接続口に接続され、他端が前記第３副配管接続口に接続され、該一端側基板の該溝を通って前記第１基板列の各基板の該溝内に配置された第２温水配管と、
一端が該ヘッダの前記第５副配管接続口に接続され、他端が前記第８副配管接続口に接続され、第２の基板列の各基板の該溝に配置された第３温水配管と、
一端が該ヘッダの前記第６副配管接続口に接続され、他端が前記第７副配管接続口に接続され、第２の基板列の各基板の該溝に配置された第４温水配管と
を備えた温水マット。
【００３２】
［４］  ［３］に記載の温水マットを製作する方法であって、
前記第１基板列の溝に前記第１温水配管及び第２温水配管を配置し、この際、該第１温水配管及び第２温水配管の両端部をそれぞれ該第１基板列の配列方向一端側の基板から延出させる第１基板列への温水配管配置工程と、
前記第２基板の溝に前記第３温水配管及び第４温水配管を配置する第２基板列への温水配管配置工程と、
前記第１温水配管及び第２温水配管が配置された前記第１基板列と、第３温水配管及び第４温水配管が配置された前記第２基板列とを並置させる並置工程と、
前記第３温水配管の両端を前記第５及び第８副配管接続口に接続し、前記第４温水配管の両端を前記第６及び第７副配管接続口に接続する第３・第４温水配管接続工程と、
前記第１温水配管及び第２温水配管の前記第１基板から延出した部分を前記第２基板の溝に配置し、該第１温水配管の両端を前記第１及び第４副配管接続口に接続し、第２温水配管の両端を前記第２及び第４副配管接続口に接続する第１・第２温水配管接続工程と
を有する温水マットの製作方法。
【００３３】
［５］  主配管からの流体を複数本の副配管に分配するためのヘッダであって、
第１長側辺、第２長側辺、第１短辺及び第２短辺を有した方形のボディー部と、
往側主配管及び戻側主配管が接続されるように該ボディー部の第１短辺からそれぞれ突設された往側主配管接続口及び主配管接続口と、
第１〜第６の副配管が接続されるように該ボディー部の該第１長側辺から突設された第１〜第６の副配管接続口と、
第７〜第１２の副配管が接続されるように該ボディー部の第２長側辺から突設された第７〜第１２の副配管接続口とを有し、
該第１〜第６の副配管接続口及び第７〜第１２の副配管接続口は、それぞれ、前記第１短辺から第２短辺に向ってこの順に設けられているヘッダにおいて、
前記往側主配管接続口と前記第１副配管接続口、第３副配管接続口及び第８副配管接続口とを連通する往側連通流路と、
前記戻側主配管接続口と前記第２副配管接続口、第７副配管接続口及び第９副配管接続口とを連通する戻側連通流路と、
前記第４副配管接続口と第１０副配管接続口とを連通する第１中継流路と、
前記第５副配管接続口と第１１副配管接続口とを連通する第２中継流路と、
前記第６副配管接続口と第１２副配管接続口とを連通する第３中継流路と
を有することを特徴とするヘッダ。
【００３４】
［６］  主配管からの流体を複数本の副配管に分配するためのヘッダであって、
第１長側辺、第２長側辺、第１短辺及び第２短辺を有した方形のボディー部と、
往側主配管及び戻側主配管が接続されるように該ボディー部の第１短辺からそれぞれ突設された往側主配管接続口及び主配管接続口と、
第１〜第６の副配管が接続されるように該ボディー部の該第１長側辺から突設された第１〜第６の副配管接続口と、
第７〜第１２の副配管が接続されるように該ボディー部の第２長側辺から突設された第７〜第１２の副配管接続口とを有し、
該第１〜第６の副配管接続口及び第７〜第１２の副配管接続口は、それぞれ、前記第１短辺から第２短辺に向ってこの順に設けられているヘッダにおいて、
前記往側主配管接続口と前記第１副配管接続口、第２副配管接続口及び第３副配管接続口とを連通する往側連通流路と、
前記戻側主配管接続口と前記第７副配管接続口、第８副配管接続口及び第９副配管接続口とを連通する戻側連通流路と、
前記第４副配管接続口と第１０副配管接続口とを連通する第１中継流路と、
前記第５副配管接続口と第１１副配管接続口とを連通する第２中継流路と、
前記第６副配管接続口と第１２副配管接続口とを連通する第３中継流路と
を有することを特徴とするヘッダ。
【００３５】
［７］  板面に配管配設用の溝が設けられた略方形の基板を複数枚配列してなる第１基板列と、
板面に配管配設用の溝が設けられた略方形の基板を複数枚配列してなる第２基板列と、
該第２基板列の配列方向一端側の一端側基板に設けられたヘッダ配置用スペースと、
該ヘッダ配置用スペース内に配置された［５］又は［６］に記載のヘッダと、
一端が該ヘッダの前記第１副配管接続口に接続され、他端が前記第６副配管接続口に接続され、該一端側基板の該溝を通って前記第１基板列の各基板の該溝内に配置された第１温水配管と、
一端が該ヘッダの前記第２副配管接続口に接続され、他端が前記第５副配管接続口に接続され、該一端側基板の該溝を通って前記第１基板列の各基板の該溝内に配置された第２温水配管と、
一端が該ヘッダの前記第３副配管接続口に接続され、他端が前記第４副配管接続口に接続され、該一端側基板の該溝を通って前記第１基板列の各基板の該溝内に配置された第３温水配管と、
一端が該ヘッダの前記第７副配管接続口に接続され、他端が前記第１２副配管接続口に接続され、第２の基板列の各基板の該溝に配置された第４温水配管と、
一端が該ヘッダの前記第８副配管接続口に接続され、他端が前記第１１副配管接続口に接続され、第２の基板列の各基板の該溝に配置された第５温水配管と、
一端が該ヘッダの前記第９副配管接続口に接続され、他端が前記第１０副配管接続口に接続され、第２の基板列の各基板の該溝に配置された第６温水配管と
を備えた温水マット。
【００３６】
［８］  ［７］に記載の温水マットを製作する方法であって、
前記第１基板列の溝に前記第１温水配管、第２温水配管及び第３温水配管を配置し、この際、該第１温水配管、第２温水配管及び第３温水配管の両端部をそれぞれ該第１基板列の配列方向一端側の基板から延出させる第１基板列への温水配管配置工程と、
前記第２基板の溝に前記第４温水配管、第５温水配管及び第６温水配管を配置する第２基板列への温水配管配置工程と、
前記第１温水配管〜第３温水配管が配置された前記第１基板列と、第４温水配管〜第６温水配管が配置された前記第２基板列とを並置させる並置工程と、
前記第４温水配管の両端を前記第７及び第１２副配管接続口に接続し、前記第５温水配管の両端を前記第８及び第１１副配管接続口に接続し、前記第６温水配管の両端を前記第９及び第１０副配管接続口に接続する第４・第５・第６温水配管接続工程と、
前記第１温水配管、第２温水配管及び第３温水配管の前記第１基板から延出した部分を前記第２基板の溝に配置し、該第１温水配管の両端を前記第１及び第６副配管接続口に接続し、第２温水配管の両端を前記第２及び第５副配管接続口に接続し、前記第３温水配管の両端を前記第３及び第４副配管接続口に接続する第１・第２・第３温水配管接続工程と
を有する温水マットの製作方法。
【発明の効果】
【００３７】
本発明のヘッダを用いた温水マットでは、第１基板列と第２基板列とを並置することなく、第１基板列に温水配管を配置する工程と、第２基板列に温水配管を配置する工程とを別々に行うことができる。このため、いずれの温水配管配置工程も容易に行うことができ、温水マットの製作効率が向上する。
【図面の簡単な説明】
【００３８】
【図１】実施の形態に係る温水マットの平面図である。
【図２】実施の形態に係るヘッダの平面図である。
【図３】実施の形態に係る温水マットの温水配管の配置を示す模式図である。
【図４】実施の形態に係る温水マットの製作方法の説明図である。
【図５】従来の温水マットの平面図である。
【図６】図５のヘッダ部分の拡大図である。
【図７】図５のVII−VII線断面図である。
【図８】従来の温水マットの製作方法の説明図である。
【図９】実施の形態に係るヘッダの平面図である。
【図１０】実施の形態に係る温水マットの平面図である。
【図１１】実施の形態に係るヘッダの平面図である。
【図１２】実施の形態に係る温水マットの平面図である。
【図１３】実施の形態に係るヘッダの平面図である。
【図１４】実施の形態に係るヘッダの平面図である。
【図１５】実施の形態に係る温水マットの平面図である。
【発明を実施するための形態】
【００３９】
以下、図面を参照して実施の形態について説明する。
【００４０】
図１の通り、この温水マット１においても、図５の温水マット１’と同様に３枚の基板Ａ〜Ｃによって第１基板列が構成され、３枚の基板Ｄ〜Ｆによって第２基板列が構成されている。温水マット１の基板Ａ〜Ｃ，Ｅ，Ｆの構成は温水マット１’の基板Ａ〜Ｃ，Ｅ，Ｆと同一である。各基板Ａ〜Ｆの断面構成は図７の通りである。
【００４１】
温水マット１の基板Ｄは、温水マット１’の基板Ｄと、切欠部１２の左辺及び右辺にそれぞれ４条の溝２とが臨んでいることを除いて同一である。
【００４２】
即ち、図５，６の通り、温水マット１’の基板Ｄでは、切欠部１２付近において切欠部１２の奥辺と平行に２条の溝２（２ａ，２ｂ）が左右方向に連続していたが、図１の温水マット１の基板Ｄでは、図３の通り、ヘッダ３０の左側の副配管接続口３３〜３６の延長線が切欠部１２の左辺と交わる位置にそれぞれ４条の溝２の端部が臨んでいる。また、ヘッダ３０の右側の副配管接続口３７〜４０の延長が切欠部１２の右辺と交わる位置にそれぞれ４条の溝２との端部が臨んでいる。
【００４３】
ヘッダ３０は、図２の通り、略長方形の盤状のボディー部４１を備えている。該ボディー部４１の１つの短辺から往側主配管接続口３１と戻側主配管接続口３２とが突設されている。
【００４４】
また、左側の長側辺から副配管接続口３３〜３６が突設され、右側の長側辺から副配管接続口３７〜４０が突設されている。副配管接続口３３〜３６及び３７〜４０は、この順に、手前側（主配管接続口３１，３２側）から奥側に向って配列されている。
【００４５】
この実施の形態では、往側主配管接続口３１は、連通流路４２，４３によって副配管接続口３３，３８に連通している。戻側主配管接続口３２は、連通流路４４，４５によって副配管接続口３７，３４に連通している。
【００４６】
副配管接続口３５，３９同士は、中継流路４７によって連通され、副配管接続口３６，４０同士は中継流路４６によって連通している。中継流路４６，４７は、いずれもボディー部４１の短辺と平行方向に延在している。
【００４７】
図３に模式的に示される通り、この実施の形態では４本の温水配管３，４，８，９が設置されている。
【００４８】
温水配管３は、基端が副配管接続口３３に接続され、基板Ｄ，Ａ，Ｂ，Ｃの順に溝２に配置され、基板ＣでＵターンして基板Ｂ，Ａ，Ｄの順に引き回され、末端が副配管接続口３６に接続されている。副配管接続口３３からの温水は、この順に流れ、次いで中継流路４６を介して副配管接続口４０に流れる。
【００４９】
副配管接続口４０には、温水配管８の先端が接続されている。温水配管８は基板Ｄ，Ｅ，Ｆの順に溝２に配置され、基板ＦでＵターンして基板Ｅ，Ｄの順に引き回され、副配管接続口３７に接続されている。副配管接続口４０から温水配管８に送り出された温水は、上記の順に温水配管８を流れ、副配管接続口３７に戻る。
【００５０】
温水配管９は、基端が副配管接続口３８に接続され、基板Ｄ，Ｅ，Ｆの順に溝２に配置され、基板ＦでＵターンして基板Ｅ，Ｆの順に引き回され、末端が副配管接続口３９に接続されている。副配管接続口３８からの温水は、この順に流れ、次いで中継流路４７を介して副配管接続口３５に流れる。
【００５１】
副配管接続口３５には、温水配管４の先端が接続されている。温水配管４は基板Ｄ，Ａ，Ｂ，Ｃの順に溝２に配置され、基板ＣでＵターンして基板Ｂ，Ａ，Ｄの順に引き回され、副配管接続口３４に接続されている。副配管接続口３５から温水配管４に送り出された温水は、上記の順に温水配管４を流れ、副配管接続口３４に戻る。
【００５２】
この温水マット１では、副配管接続口３３から送出された温水が温水配管３、中継流路４６、温水配管８の順にすべての基板Ａ〜Ｆにわたって流れる。また、副配管接続口３８から送出された温水が温水配管９、中継流路４７、温水配管４の順にすべての基板Ａ〜Ｆにわたって流れる。このように温水が流れる流路長（配管長さ）が大きいので、流れる温水に与えられる圧損が適切となり、温水配管３，４，８，９に過剰量の温水が流れることが防止される。
【００５３】
また、この実施の形態では、温水配管３，８を流れる温水は、先に基板Ａ〜Ｃを流れ、その後基板Ｄ〜Ｆを流れると共に、温水配管９，４を流れる温水は、先に基板Ｄ〜Ｆを流れ、その後、基板Ａ〜Ｃを流れる。このように温水の流れる順番が温水配管３，８と温水配管９，４とで逆であるので、基板Ａ〜Ｃと基板Ｄ〜Ｆとが略均等に加温される。
【００５４】
この温水マット１を製作するには、図４の通り、基板Ａ，Ｂ，Ｃを突き合わせ、温水配管３，４を各基板の溝２に配置しておく。この際、温水配管３，４の両端を基板Ａの溝２からそれぞれ所定長さ（ヘッダ３０の副配管接続口に到達する長さ）だけ延出させておく。
【００５５】
また、基板Ｄ，Ｅ，Ｆを突き合わせ、温水配管８，９を各基板の溝２に配置し、温水配管８の両端を副配管接続口３７，４０に接続し、温水配管９の両端を副配管接続口３８，３９に接続しておく。基板Ｄにあっては、最左側の４条の溝２には温水配管３，４がまだ配置されていない。
【００５６】
しかる後、基板Ａ〜Ｃの列と基板Ｄ〜Ｆの列とを並置して突き合わせる。次いで、基板Ａから延出した温水配管３，４の延出部分を基板Ｄの最左側の４条の溝２にそれぞれ配置し、温水配管３の両端を副配管接続口３３，３６に接続し、温水配管４の両端を副配管接続口３４，３５に接続する。
【００５７】
このように、この温水マット１の製作方法にあっては、基板Ａ〜Ｃへの温水配管３，４の配置工程と、基板Ｄ〜Ｆへの温水配管８，９の配置工程とを、別々に行うことができる。
【００５８】
基板Ａ〜Ｃの長手幅Ｗ１及び基板Ｄ〜Ｆの長手幅Ｗ２は、両者の合計幅Ｗ１＋Ｗ２に比べて約半分程度である。そのため、基板Ａ〜Ｃ列の手前側又は奥側の一方に１名の作業者が位置して温水配管３，４の配置作業を行うことができる。基板Ｄ〜Ｆ列についても同様に１名の作業者で温水配管８，９の配置作業を行うことができる。基板Ａ〜Ｃ列と基板Ｄ〜Ｆ列とを突き合わせた後に温水配管３，４の延出部分の溝２への配置作業も１名の作業者で容易に行うことができる。
【００５９】
従って、この温水マット１の製作作業は容易であり、温水マットの生産効率が向上する。
【００６０】
上記実施の形態では、基板Ａ〜Ｃ列、Ｄ〜Ｆ列はそれぞれ３枚の基板よりなるものであるが、２枚又は４枚以上の基板で各基板列が構成されてもよい。
【００６１】
ヘッダ３０の別例を図９に示す。このヘッダ３０Ａは、往側主配管接続口３１が連通流路５０，５１によって左側の副配管接続口３３，３４に連通し、戻側主配管接続口３２が連通流路５２，５３によって右側の副配管接続口３７，３８に連通している。副配管接続口３５，３９同士及び副配管接続口３６，４０同士は、図２のヘッダ３０と同様に、中継流路４６，４７により連通している。
【００６２】
図１０は、このヘッダ３０Ａを用いた場合の温水配管引き回し及び温水の流れを説明する模式図である。この温水マットでは、副配管接続口３３，３４から温水配管３，４に送出された温水がいずれも基板Ａ，Ｂ，Ｃ，Ｂ，Ａの順に流れ、その後、温水配管８，９を基板Ｄ，Ｅ，Ｆ，Ｅ，Ｄの順に流れるので、基板Ａ〜Ｃに比較的高温の温水が先に流れ、基板Ｄ〜Ｆにはそれよりも降温した温水が流れる。従って、基板Ａ〜Ｃの方が基板Ｄ〜Ｆよりも加温温度が高くなる。
【００６３】
上記ヘッダ３０Ａでは、中継流路４６，４７は平行となっているが、図１１のヘッダ３０Ｂの通り、中継流路５６によって副配管接続口３６，３９を連通させ、中継流路５７によって副配管接続口３５，４０を連通させるようにしてもよい。この場合も、図１０と同様に温水配管３，４，８，９が各副配管接続口に接続されて温水マットが構成される。
【００６４】
上記実施の形態では、温水配管は４回路（温水配管３，４，８，９）設けられているが、６回路設けられてもよい。かかる温水マットの一例を図１２に示し、この温水マットに用いられるヘッダ６０を図１３に示す。
【００６５】
図１２の通り、この温水マットにおいても、３枚の基板Ａ〜Ｃによって第１基板列が構成され、３枚の基板Ｄ〜Ｆによって第２基板列が構成されている。基板Ａ〜Ｃ，Ｅ，Ｆの構成は温水配管用の溝の数が多いことを除いて上記実施の形態と同一である。
【００６６】
ヘッダ６０は、図１３の通り、略長方形の盤状のボディー部６０Ｍを備えている。該ボディー部６０Ｍの１つの短辺から往側主配管接続口６１と戻側主配管接続口６１ｒとが突設されている。
【００６７】
また、左側の長側辺から副配管接続口７１〜７６が突設され、右側の長側辺から副配管接続口７７〜８２が突設されている。副配管接続口７１〜７６及び７７〜８２は、この順に、手前側（主配管接続口６１，６１ｒ側）から奥側に向って配列されている。
【００６８】
この実施の形態では、往側主配管接続口６１は、連通流路６２，６３，６４によって副配管接続口７１，７３，７８に連通している。戻側主配管接続口６１ｒは、連通流路６５，６６，６７によって副配管接続口７２，７７，７９に連通している。
【００６９】
副配管接続口７４，８０同士は、中継流路６８によって連通され、副配管接続口７５，８１同士は中継流路６９によって連通している。副配管接続口７６，８２同士は中継流路７０によって連通されている。中継流路６８，６９，７０は、いずれもボディー部６０Ｍの短辺と平行方向に延在している。
【００７０】
図１２に模式的に示される通り、この実施の形態では６本の温水配管９１〜９６が設置されている。
【００７１】
温水配管９１は、基端が副配管接続口７１に接続され、基板Ｄ，Ａ，Ｂ，Ｃの順に溝２に配置され、基板ＣでＵターンして基板Ｂ，Ａ，Ｄの順に引き回され、末端が副配管接続口７６に接続されている。副配管接続口３３からの温水は、この順に流れ、次いで中継流路７０を介して副配管接続口８２に流れる。
【００７２】
副配管接続口８２には、温水配管９４の先端が接続されている。温水配管９４は基板Ｄ，Ｅ，Ｆの順に溝２に配置され、基板ＦでＵターンして基板Ｅ，Ｄの順に引き回され、副配管接続口７７に接続されている。副配管接続口８２から温水配管９４に送り出された温水は、上記の順に温水配管９４を流れ、副配管接続口７７に戻る。
【００７３】
温水配管９５は、基端が副配管接続口７８に接続され、基板Ｄ，Ｅ，Ｆの順に溝２に配置され、基板ＦでＵターンして基板Ｅ，Ｆの順に引き回され、末端が副配管接続口８１に接続されている。副配管接続口７８からの温水は、この順に流れ、次いで中継流路６９を介して副配管接続口７５に流れる。
【００７４】
副配管接続口７５には、温水配管９２の先端が接続されている。温水配管９２は基板Ｄ，Ａ，Ｂ，Ｃの順に溝２に配置され、基板ＣでＵターンして基板Ｂ，Ａ，Ｄの順に引き回され、副配管接続口７２に接続されている。副配管接続口７５から温水配管７２に送り出された温水は、上記の順に温水配管７２を流れ、副配管接続口７２に戻る。
【００７５】
温水配管９３は、基端が副配管接続口７３に接続され、基板Ｄ，Ａ，Ｂ，Ｃの順に溝２に配置され、基板ＣでＵターンして基板Ｂ，Ａ，Ｄの順に引き回され、末端が副配管接続口７４に接続されている。副配管接続口７３からの温水は、この順に流れ、次いで中継流路６８を介して副配管接続口８０に流れる。
【００７６】
副配管接続口８０には、温水配管９６の先端が接続されている。温水配管９６は基板Ｄ，Ｅ，Ｆの順に溝２に配置され、基板ＦでＵターンして基板Ｅ，Ｄの順に引き回され、副配管接続口７９に接続されている。副配管接続口８０から温水配管９６に送り出された温水は、上記の順に温水配管９６を流れ、副配管接続口７９に戻る。
【００７７】
この温水マット１では、副配管接続口７１又は７３から送出された温水が温水配管９１又は９３、中継流路７０又は６８、温水配管９４又は９６の順にすべての基板Ａ〜Ｆにわたって流れる。また、副配管接続口７８から送出された温水が温水配管９５、中継流路６９、温水配管９２の順にすべての基板Ａ〜Ｆにわたって流れる。このように温水が流れる流路長（配管長さ）が大きいので、流れる温水に与えられる圧損が適切となり、温水配管９１〜９６に過剰量の温水が流れることが防止される。
【００７８】
また、この実施の形態では、温水配管９１，９３，９４，９６を流れる温水は、先に基板Ａ〜Ｃを流れ、その後基板Ｄ〜Ｆを流れると共に、温水配管９２，９５を流れる温水は、先に基板Ｄ〜Ｆを流れ、その後、基板Ａ〜Ｃを流れる。このように温水の流れる順番が温水配管９１，９３，９４，９６と温水配管９２，９５とで逆であるので、基板Ａ〜Ｃと基板Ｄ〜Ｆとが略均等に加温される。
【００７９】
図１２の温水マットを製作する場合も、前記図４の通り、基板Ａ，Ｂ，Ｃを突き合わせ、温水配管９１〜９３を各基板の溝２に配置しておく。この際、温水配管９１〜９３の両端を基板Ａの溝２からそれぞれ所定長さ（ヘッダ６０の副配管接続口に到達する長さ）だけ延出させておく。
【００８０】
また、基板Ｄ，Ｅ，Ｆを突き合わせ、温水配管９４〜９６を各基板の溝２に配置し、温水配管９４の両端を副配管接続口７７，８２に接続し、温水配管９５の両端を副配管接続口７８，８１に接続し、温水配管９６の両端を副配管接続口７９，８０に接続しておく。基板Ｄにあっては、最左側の６条の溝２には温水配管３，４がまだ配置されていない。
【００８１】
しかる後、基板Ａ〜Ｃの列と基板Ｄ〜Ｆの列とを並置して突き合わせる。次いで、基板Ａから延出した温水配管９１〜９３の延出部分を基板Ｄの最左側の６条の溝２にそれぞれ配置し、温水配管９１の両端を副配管接続口７１，７６に接続し、温水配管９２の両端を副配管接続口７２，７５に接続し、温水配管９３の両端を副配管接続口７３，７４に接続する。
【００８２】
このように、基板Ａ〜Ｃへの温水配管９１〜９３の配置工程と、基板Ｄ〜Ｆへの温水配管９４〜９６の配置工程とを、別々に行うことができる。
【００８３】
ヘッダ６０の別例を図１４に示す。このヘッダ６０Ａは、往側主配管接続口６１が連通流路６１ａ，６１ｂ，６１ｃによって左側の副配管接続口７１，７２，７３に連通し、戻側主配管接続口６１ｒが連通流路６２ａ，６２ｂ，６２ｃによって右側の副配管接続口７７，７８，７９に連通している。副配管接続口７４，８０同士、副配管接続口７５，８１同士及び副配管接続口７６，８２同士は、図１３のヘッダ６０と同様に、中継流路６８，６９，７０により連通している。
【００８４】
図１５は、このヘッダ６０Ａを用いた場合の温水配管引き回し及び温水の流れを説明する模式図である。この温水マットでは、副配管接続口７１〜７３から温水配管９１〜９３に送出された温水がいずれも基板Ａ，Ｂ，Ｃ，Ｂ，Ａの順に流れ、その後、温水配管９４〜９６を基板Ｄ，Ｅ，Ｆ，Ｅ，Ｄの順に流れるので、基板Ａ〜Ｃに比較的高温の温水が先に流れ、基板Ｄ〜Ｆにはそれよりも降温した温水が流れる。従って、基板Ａ〜Ｃの方が基板Ｄ〜Ｆよりも加温温度が高くなる。
【００８５】
上記実施の形態は本発明の一例であり、本発明は上記以外の形態とされてもよい。例えば、上記実施の形態では、最左端側の基板Ｄにヘッダが配置されているが、最右端側の基板Ｆにヘッダが配置されてもよい。
【符号の説明】
【００８６】
１，１’  温水マット
２  溝
３，４，８，９，９１〜９６  温水配管
２０，３０，３０Ａ，３０Ｂ，６０  ヘッダ
２１，２２，３１，３２，６１，６１ｒ  主配管接続口
２３〜２６，３１〜４０，７１〜８２  副配管接続口
４１，６０Ｍ  ボディー部
４６，４７，５６，５７，６８〜７０  中継流路
４２〜４５，５１〜５４，６２〜６７  連通流路
【図１】
2020076513.tif 000003
【図２】
2020076513.tif 000004
【図３】
2020076513.tif 000005
【図４】
2020076513.tif 000006
【図５】
2020076513.tif 000007
【図６】
2020076513.tif 000008
【図７】
2020076513.tif 000009
【図８】
2020076513.tif 000010
【図９】
2020076513.tif 000011
【図１０】
2020076513.tif 000012
【図１１】
2020076513.tif 000013
【図１２】
2020076513.tif 000014
【図１３】
2020076513.tif 000015
【図１４】
2020076513.tif 000016
【図１５】
2020076513.tif 000017